(57)【要約】      （修正有）【課題】簡易な構造、かつ低コストで、荷物の荷台への積み方向を指定するとともに、荷物の配送時の積み方向を、荷物の受け取り後に確認することができる、荷物の積み方向指定具、及び積み方向指定梱包箱を提供する。【解決手段】荷物４の積み方向を指定するとともに、配送後に、荷物４が配送中に指定の積み方向であったか否かを追跡・確認できる荷物の積み方向指定具１であって、左プレート、左プレートの側面に延設される左片から構成される第一部材２と、第一部材２に対向して連設される右プレートと右プレートの側方で左プレートの方向に延設された右片から構成される第二部材３と、からなり、左右プレートの接続部の折り位置で左右プレートを折曲げることにより、左右片が左右プレートの延設方向にそれぞれ突設され、荷物４の二側面で形成される角部１ｇに固定して用いる。【選択図】図３
0003192293.tif 000002
【実用新案登録請求の範囲】
【請求項１】
荷物の積み方向を指定するとともに、配送後に、前記荷物が配送中に指定の積み方向であったか否かを追跡・確認できる荷物の積み方向指定具であって、
左プレート、前記左プレートの側面に延設される左片から構成される第一部材と、
前記第一部材に対向して連設される右プレートと前記右プレートの側方で前記左プレートの方向に延設された右片から構成される第二部材と、
からなり、
前記左右プレートの接続部の折り位置で前記左右プレートを折曲げることにより、前記左右片が左右プレートの延設方向にそれぞれ突設され、前記荷物の二側面で形成される角部に固定して用いることを特徴とする
荷物の積み方向指定具。
【請求項２】
前記左右片が、前記左右プレートの間に穿設された切り込みによりそれぞれ対向する左右プレートから分離形成されることを特徴とする請求項１に記載の荷物の積み方向指定具。
【請求項３】
前記左右プレートの裏面にそれぞれ左右シールを貼付し、前記左右シールで前記荷物の前記角部に貼付して固定することを特徴とする請求項１又は請求項２に記載の荷物の積み方向指定具。
【請求項４】
前記第一、第二部材が、中芯及び表裏ライナーを積層した段ボールであり、前記左右片が、前記中芯の空洞の方向に延設されることを特徴とする請求項１〜請求項３のいずれか１項に記載の荷物の積み方向指定具。
【請求項５】
梱包箱の積み方向を指定するとともに、配送後に、前記梱包箱が配送中に指定の積み方向であったか否かを追跡・確認できる組み立て式の積み方向指定梱包箱であって、
前記組み立て及び成形の際に、各面と同一方で、かつ前記梱包箱の載置禁止面方向に片が突設形成されることを特徴とする積み方向指定梱包箱。
【考案の詳細な説明】
【技術分野】
【０００１】
本考案は、荷物の積み方向を指定するとともに、配送後に荷物が指定の積み方向であったか否かを追跡・確認できる、荷物の積み方向指定具、及び積み方向指定梱包箱に関する。
【背景技術】
【０００２】
しかしながら、それらは、注意喚起になるものの、配送過程でそれが守られていたかを確認することはできない。天地無用シールがあるにも拘わらす、内容物が指定向きに荷積みされなかったために、内容物が漏れ出すことも散見される。そして、従来の注意喚起では、内容物の漏れ出しが、梱包時に起きたのか、配送時、或いは配送後、梱包の開封時、内容物の取り出し時に起きたのか特定することができない。
【０００３】
そのような問題を解決するため、配送過程での、荷物の積み方を追跡できるものとして、特許文献２の天地識別マーカー、特許文献３の荷物を運搬した状況を知る方法などが開示されている。
【０００４】
特許文献２の発明は、天地無用の搬送をする製品を、物流過程で天地を逆に搬送してしまった場合に、その履歴を検証できるようにするために梱包材に張られたラベルの形態の変化で、視認できるようにするため、有底の可視性膜で形成された空間内に粒子を内蔵させ、底部の前記空間内の一部に粘着剤を形成したものであり、天地が逆になった場合に、下部にたまった粒子が上部の粘着剤の部分に移動するから、粒子は粘着剤に捕捉され天地が逆になった事実が目視できる。というものである。
【０００５】
特許文献３の発明は、物体の運搬を運送会社に依頼したりする時、「天地無用（荷物を横や上下逆にしないで下さい）」や「取扱注意」などのラベルが貼られることが多いが、天地無用などが守られたか否かを立証する方法がなかったが、本発明は運搬した状況を知ることを可能にするため、運搬する物体に取り付けた容器内の液体または粉末粒子の移動による非可逆変化で、物体が運搬された状況を知る。というものである。
【０００６】
しかしながら、何れも複雑な構造で、昨今の配送コストが高い流通状況では、それらの導入は容易ではない。
【先行技術文献】
【特許文献】
【０００７】
【特許文献１】特開２０１０−２５４３１３号公報
【特許文献２】特開２０００−２１１６４８号公報
【特許文献３】特開平１１−２４９５６８号公報
【考案の概要】
【考案が解決しようとする課題】
【０００８】
そこで、本考案は、簡易な構造、かつ低コストで、荷物の荷台への積み方向を指定するとともに、荷物の配送時の積み方向を、荷物の受け取り後に確認することができる、荷物の積み方向指定具、及び積み方向指定梱包箱を提供することを目的とする。
【課題を解決するための手段】
【０００９】
本考案は、上記課題を解決するために、
（１）
荷物の積み方向を指定するとともに、配送後に、前記荷物が配送中に指定の積み方向であったか否かを追跡・確認できる荷物の積み方向指定具であって、
左プレート、前記左プレートの側面に延設される左片から構成される第一部材と、
前記第一部材に対向して連設される右プレートと前記右プレートの側方で前記左プレートの方向に延設された右片から構成される第二部材と、
からなり、
前記左右プレートの接続部の折り位置で前記左右プレートを折曲げることにより、前記左右片が左右プレートの延設方向にそれぞれ突設され、前記荷物の二側面で形成される角部に固定して用いることを特徴とする荷物の積み方向指定具。
（２）
前記左右片が、前記左右プレートの間に穿設された切り込みによりそれぞれ対向する左右プレートから分離形成されることを特徴とする（１）に記載の荷物の積み方向指定具。
（３）
前記左右プレートの裏面にそれぞれ左右シールを貼付し、前記左右シールで前記荷物の前記角部に貼付して固定することを特徴とする（１）又は（２）に記載の荷物の積み方向指定具。
（４）
前記第一、第二部材が、中芯及び表裏ライナーを積層した段ボールであり、前記左右片が、前記中芯の空洞の方向に延設されることを特徴とする
（１）〜（３）のいずれかに記載の荷物の積み方向指定具。
（５）
梱包箱の積み方向を指定するとともに、配送後に、前記梱包箱が配送中に指定の積み方向であったか否かを追跡・確認できる組み立て式の積み方向指定梱包箱であって、
前記組み立て及び成形の際に、各面と同一方で、かつ前記梱包箱の載置禁止面方向に片が突設形成されることを特徴とする積み方向指定梱包箱。
とした。
【考案の効果】
【００１０】
本考案は、上記構成であるので、低コストで導入でき、荷物の荷台への積み方向を指定するとともに、荷物の配送時の積み方向を、荷物の受け取り後に確認することができる。何れも、段ボールとすれば一層低コストである。
【００１１】
本考案の荷物の積み方向指定具であれば、折曲げて裏面のシールを荷物に貼付するだけでよりので、従来の段ボール箱等、箱型容器のみならず、二側面が交差する角部を有する荷物に用いることもでき、汎用性が高い。
【００１２】
積み方向指定梱包箱であれば、許容される積み方向に片を備えない梱包箱に、通常通り、内容物を梱包するだけで、積み方向を指定することができる。段ボールなどであれば、従来の型において、所定の箇所に、切り込みを入れだけで、段ボールを組み立てる過程で、片が形成される。
【００１３】
片は、中芯及び表裏ライナーを積層した段ボールの場合において、中芯の空洞方向に延設されることで、強度が増し、一度折れ曲がった場合、すなわち、許容されない方向に荷物が積まれることで、片が折れ、シワ、折れを記憶し、配送後の追跡を可能にする。さらに、片が意図しない箇所に軽く当たっても、簡単に折れることがない。
【図面の簡単な説明】
【００１４】
【図１】本考案である荷物の積み方向指定具の（Ａ）平面図及び（Ｂ）底面図である。
【図２】本考案である荷物の積み方向指定具の取り付け可能状態での斜視図である。
【図３】本考案である荷物の積み方向指定具を用いた荷物への設置方法の説明図である。
【図４】本考案である積み方向指定梱包箱の斜視図である
【図５】本考案である積み方向指定梱包箱の片形成部（図４の一点鎖線円内）の拡大図である。
【図６】本考案である積み方向指定梱包箱の展開図（組み立て前の左右パーツ）である。（Ａ）内側、（Ｂ）が外側を表している。
【図７】本考案である積み方向指定梱包箱を許容しない積み方向に積んだときの片の変化の説明図であり、図７（Ａ）は積み方向指定梱包箱を禁止された積み方向で積んだときの様子であり、図７（Ｂ）は配送後、積み方向指定梱包箱の指定した積み方向が守られたか否かを追跡することができることの説明図である。
【考案を実施するための形態】
【００１５】
以下、添付図面に基づいて、本考案について本考案の一実施形態を挙げ詳細に説明する。なお、本考案は下記実施例に限定されるものではない。
【実施例１】
【００１６】
図１−３に示すように、本考案である荷物の積み方向指定具１は、第一部材２と、第二部材３とからなり、荷物の積み方向を指定するとともに、配送後に、荷物が指定の積み方向であったか否かを追跡・確認できる。
【００１７】
第一部材２は、左プレート２ａと、左プレート２ａの側面に延設される内左片２ｂ及び外左片２ｃと、左プレート２ａの裏に設けられた左シール２ｅからなる。
【００１８】
第二部材３は、第一部材２に対向して連設される右プレート３ａと、右プレート３ａの側方で左プレート２ａの方向に延設される内右片３ｂ及び外右片３ｃと、右プレート３ａの裏に設けられた右シール３ｅからなる。
【００１９】
内左片２ｂは、切り込み２ｄにより、右プレート３ａから分離形成される。内右片３ｂも、切り込み２ｄにより左プレート２ａから分離形成される。
【００２０】
このようにしてなる荷物の積み方向指定具１は、図２に示すように、左右プレート２ａの接続部の折り位置１ａで左右プレート２ａ、３ａを折曲げることにより、左右片（ここでは、内外左右各々２個）が、左右プレート２ａ、３ｂの延設方向にそれぞれ突設される。少なくとも、左右プレート２ａ、２ｂに１つ片が形成されれば、本考案の技術的範囲に属することとなる。
【００２１】
そして、図３に示すように、荷物の積み方向指定具１を、テープ４ａ留めした荷物４の二側面で形成される角部１ｇに固定することで、積み方向指定荷物１ｆが形成される。荷台等の載置面への積み込みが許容される、荷物４の面方向には片を突出させない。接触が禁止される面方向にのみに片を突設させる。図３では、片は、底面以外の方向に突設されていることから、荷物４の底面のみが荷台への設置が許容される面であることがわかる。なお、荷物の積み方向指定具１は、段ボール（荷物４）の組み立て前に角部になる位置に貼付して、段ボールの組み立てとともに、各片を突設させてもよい。
【００２２】
なお、ここでは、荷物の積み方向指定具１の荷物４への固定は、裏面に貼付した左右シール２ｅ、３ｅとしたが、接着材で固定するなどの方法も可能で、何れにしても、荷物の積み方向指定具１が配送中角部１ｇから脱落することなく、固定されれば、その固定手段は問わない。
【００２３】
指定された積み方向で、荷物が、配送された場合には、片は、元の形状を維持したままであるが、禁止された面を下に荷台等の載置面に積んだ場合には、片は折れ曲がり、折れ線が残り、配送時に、禁止された方向での荷物４の積み方があったことを荷物４の受領後においても確認できる。
【００２４】
その結果、荷物４の内容物の漏れなどがあった場合には、禁止された積み方向での積み込み、配送、落下等が原因であることが明らかなになり、配送者に対して、損害賠償を請求することが容易になる。
【００２５】
なお、図２に示すように、第一部材２、第二部材３は、中芯１ｂ及び表裏ライナー１ｃ、１ｄを積層した段ボールである。その他、四層積層、強化段ボールなども使用できる。実施例２についても同様である。
【００２６】
そして、内外左右片（２ｂ、２ｃ、３ｂ、３ｃ）が、段ボールの中芯１ｂの空洞１ｅの方向に延設されることで、各片の強度が強くなり、折れ曲がったときの折れ線は、正しい面を載置面にした場合でも、配送中の禁止された積み方向の積み込みの記録を鮮明の残すことができる。
【００２７】
実施例１の荷物の積み方向指定具１は、段ボール等の組み立て式の梱包箱である荷物４の角部１ｇに用いるだけでなく、角部を備える荷物全般に用いることができる。
【００２８】
さらに、荷物の積み方向指定具１を段ボールで形成すれば、極めて低廉で提供できる。加えて、切り込み２ｄ、３ｄを入れ、折曲げることで、各片を形成すれば、製造及び使用時の操作が極めて簡単である。
【実施例２】
【００２９】
次に、図４−７を参照して、本考案である積み方向指定梱包箱について説明する。なお、ここでは、図５に示すように中芯７ｋ及び表裏ライナー７ｍ、７ｎを積層してなる段ボールを折曲げて組み立てられる、組み立て式段ボール製の梱包箱とした。
【００３０】
積み方向指定梱包箱５は、段ボールに切り込みを入れ、段ボールを折曲げることによって、組み立て及び成形（テープ５ａ留め）の際に、段ボールの各面と同一方で、かつ梱包箱の載置禁止面方向に片が突設形成されることで、梱包箱の積み方向を指定するとともに、配送後に、梱包箱が配送中に指定の積み方向であったか否かを追跡・確認できる組み立て式の積み方向を指定できる梱包箱となる。
【００３１】
以下、積み方向指定梱包箱５の構造について、より詳細に説明する。積み方向指定梱包箱５は、図６に示すように、左右対称の、段ボールを成形した左パーツ６（箱内側面を表示）と、右パーツ７（箱外側面を表示）と、左右パーツ６、７を連結するステープル５ｂ、５ｃと、内容物を充填した後、上面を封止するテープ５ａからなり、左右パーツ６、７を連結した上で、組み立て、折曲げ、テープ５ａ等で封止して梱包が完成する。
【００３２】
左パーツ６は、正面６ａと、正面６ａの上下に折曲げ可能に連設する内前上面６ｂ及び内前底面６ｃと、正面６ａの側面に折曲げ可能に連設する左側面６ｄと、左側面６ｄの上下に折曲げ可能に連設する左上面６ｅ及び左底面６ｆと、左側面６ｄの他端部に突設された凸部６ｇとで構成さる。
【００３３】
そして、正面６ａと内前上面６ｂ及び内前底面６ｃの折れ位置５ｅから正面６ａに食い込む凸の切り込み６ｈを設けることで、内前上面６ｂ及び内前底面６ｃから延設される各２個の片６ｐが形成され、左側面６ｄと左上面６ｅ及び左底面６ｆの折れ位置５ｅから左側面６ｄに食い込む凸の切り込み６ｈを設けることで、左上面６ｅ及び左底面６ｆから延設される各２個の片６ｐが形成される。凸部６ｇと右パーツ７の背面との固定位置５ｄをステープル５ｃで連結して、折曲げることで、片ｐｈが突設される。なお、段ボールの中芯７ｋの空洞７ｏ方向は、破線で示した方向である。
【００３４】
右パーツ７は、背面７ａと、背面７ａの上下に折曲げ可能に連設する内後上面７ｂ及び内後底面７ｃと、背面７ａの側面に折曲げ可能に連設する右側面７ｄと、右側面７ｄの上下に折曲げ可能に連設する右上面７ｅ及び右底面７ｆと、右側面７ｄの他端部に突設された凸部７ｇとで構成さる。
【００３５】
そして、背面７ａと内後上面７ｂ及び内後底面７ｃの折れ位置５ｅから背面７ａに食い込む凸の切り込み７ｈを設けることで、内後上面７ｂ及び内後底面７ｃから延設される各２個の片７ｐが形成され、右側面７ｄと右上面７ｅ及び右底面７ｆの折れ位置５ｅから右側面７ｄに食い込む凸の切り込み７ｈを設けることで、右上面７ｅ及び右底面７ｆから延設される各２個の片７ｐが形成される。凸部７ｇと左パーツ６の正面６ａとの固定位置５ｄをステープル５ｂで連結して、折曲げることで、片７ｐが突設される。なお、段ボールの中芯７ｋの空洞７ｏの方向は、その一部を波線で示した。
【００３６】
ステープル５ｂ、５ｃは、左右パーツ６、７の凸部６ｑ、７ｑと対応する左右パーツ６、７で連結する。留め部は、側面の対向する２隅に位置することとなる。
【００３７】
左右パーツ６、７をステープル５ｂ、５ｃで連結し、折曲げると、図５に示すように、切り込み７ｈがあることで、片７ｐが形成される。右側面７ｄ上部に形成される片７ｐは、右上面７ｅから同一平面状で延設され、右側面７ｄより突出する。片７ｐが突設されることで、右側面７ｄには穴７ｉが残る。なお、片６ｐと片７ｐは同じ構造である。
【００３８】
図５において、右側面７ｄを載置面に接して、積み込みが禁止されることを意味する。すなわち、図４に示す、積み方向指定梱包箱５は、上面及び底面のみ載置可能である。上面の載置を禁止し、底面のみ載置を許可する場合には、実施例１の荷物の積み方向指定具１を併用すればよい。或いは左右上面６ｅ、７ｅ側に食い込む切り込みで、上方に向け、片６ｐ、７ｐを左右側面から延設してもよい。
【００３９】
次に、図７を参照して、積み方向の追跡、確認について説明する。本考案である積み方向指定梱包箱５を許容しない積み方向（右側面７ｄを載置面８）に積んだときは（図７（Ａ））は、片７ｐは、延設された面と異なる方向に折れ曲がり、その形状がほぼ維持される。
【００４０】
その結果、図７（Ｂ）に示すように、片６ｐ、７ｑが折れ、折れ線が残っていれば、配送後であっても、配送中に、積み方向指定梱包箱５の指定した積み方向が守られていなかったことを確認することができる。片６ｐ、７ｐの形状変化で、積み方向指定梱包箱５の指定した積み方向が守られたか否かを追跡することができることとなる。
【符号の説明】
【００４１】
１    荷物の積み方向指定具
１ａ  折り位置
１ｂ  中芯
１ｃ  表ライナー
１ｄ  裏ライナー
１ｅ  空洞
１ｆ  積み方向指定荷物
１ｇ  角部
２    第一部材
２ａ  左プレート
２ｂ  内左片
２ｃ  外左片
２ｄ  切り込み
２ｅ  左シール
３    第二部材
３ａ  右プレート
３ｂ  内右片
３ｃ  外右片
３ｄ  切り込み
３ｅ  右シール
４    荷物
４ａ  テープ
５    積み方向指定梱包箱
５ａ  テープ
５ｂ  ステープル
５ｃ  ステープル
５ｄ  固定位置
５ｅ  折れ位置
６    左パーツ
６ａ  正面
６ｂ  内前上面
６ｃ  内前底面
６ｄ  左側面
６ｅ  左上面
６ｆ  左底面
６ｇ  凸部
６ｈ  切り込み
６ｐ  片
７    右パーツ
７ａ  背面
７ｂ  内後上面
７ｃ  内後底面
７ｄ  右側面
７ｅ  右上面
７ｆ  右底面
７ｇ  凸部
７ｈ  切り込み
７ｉ  穴
７ｋ  中芯
７ｍ  表ライナー
７ｎ  裏ライナー
７ｏ  空洞
７ｐ  片
８    載置面
【図１】
0003192293.tif 000003
【図２】
0003192293.tif 000004
【図３】
0003192293.tif 000005
【図４】
0003192293.tif 000006
【図５】
0003192293.tif 000007
【図６】
0003192293.tif 000008
【図７】
0003192293.tif 000009